(57)【要約】【課題】  誰にでも簡単確実に贈答用等の植木鉢の加飾包装達成できる、鉢を摩擦固定して持ち上げても脱落しない持ち運びにも最適な植木鉢加飾具を提供する。【解決手段】  底面（３）に接合する形で底面外周よりも長い、弾性素材（２）を設けた帯の役割を兼ねる胴回り部分を柔軟性素材（１）によって設け、この重なり合う内帯先端部分（１ａ）と外帯先端部分（１ｂ）に開放時よりも内径が狭まり包纏し、且つ開放自在となるよう固定具を設けた構成を特徴とする。【選択図】  図１
0003106548.tif 000002
【実用新案登録請求の範囲】
【請求項１】
柔軟性を有する素材を用い底面に接合する形で、底面外周よりも長い、帯の役割を兼ねる胴回り部分を設け、この胴回り両端の重なり合う部分に開放時よりも内径が狭まり包纏し、且つ開放自在になるよう固定具を設けた構成を特徴とする植木鉢加飾具。
【請求項２】
柔軟性を有する素材を用い底面に接合する形で、底面外周よりも長い、弾性素材を設けた帯の役割を兼ねる胴回り部分を設け、この胴回り両端の重なり合う部分に開放時よりも内径が狭まり包纏し、且つ開放自在になるよう固定具を設けた構成を特徴とする植木鉢加飾具。
【考案の詳細な説明】
【技術分野】
【０００１】  本考案は、従来一定の訓練と作業時間、作業スペースを必要とし、贈答用等の包装の技術に頼らざるを得なかった植木鉢の加飾を、誰にでも短時間で簡単確実に作業台等も用いず達成できる、鉢を摩擦固定して持ち上げても脱落しない移動にも最適な植木鉢加飾具に関するものである。
【技術背景】
【０００２】  従来、植木鉢を加飾するには、フラワー・アレンジメントや贈答用包装に見られるように和紙、布、レース、セロファン、各種色紙等を重ね合わせ折ったり押し当てたりして鉢に馴染ませ、装飾を兼ねたリボン等で胴回りを結わえて固定するのが普通であった。プラスチックやガラスの容器に化学性吸水スポンジや高吸水性樹脂を盛り、水が零れる心配を無くした切花の場合も同様である。植え替えも行わずに外観を一新できる優れたものではあったが、個人の技量に左右される、技法、であり用いれば誰にでも簡単に達成できる、加飾具、ではなかった。
この他、加飾のような付属物としての性格が薄く、包装によって装飾された物が果たした贈答用等には適さないが使用時の外観が似ているものとして、陶器や籠、金属などで出来た鉢カバーも挙げられよう。
【考案の開示】
【考案が解決しようとする課題】
【０００３】  しかし、鉢カバーは花卉ごとに購入を検討するような種類の物ではなく、インテリア性の高い器物であって、設置して用いるのが主であり、鉢を摩擦固定して包纏する機能は無く、重量もあり持ち運びには適さなかった。
フラワー・アレンジメントの一環としてラッピングの技術は欠かせないものであるが、一定の訓練を受けていたとしても、長方形のラッピングペーパーを塩梅良く鉢に包纏させるのは手間のかかる作業であり、左右のバランスを取りながら仕上げるには相応の作業時間とスペース、工作台が必要である。フラワーラッピングは贈答等に最適な美しい外観を作れるが、結わえ付けているリボンなどを解けば形が簡単に崩れてしまう、使い捨てには惜しい比較的高級な素材を使用するにも拘らず、再利用の難しい、花に合せての一回きりの加飾技法であった。
又、包装材には価格表示が無いのが普通であり、満足のいく包装を模索する内に、予算の超過を招くことも考えられる。利用者は不安や時に不愉快な思いをさせられることもあった。
さらに、安価な商品では利用者が包装を依頼しにくく、加飾することで彩りを添えたならば瀟洒な贈答品として付加価値をもたせることの出来る中・低価格帯の商品のそのような利用を妨げていた。
生花店におけるフラワー・アレンジメントのラッピング技法を主とした加飾は総じて不明朗な料金設定の下、特に低価格商品向けのサービスがおざなりにされていたと言える。
店側から見ても、鉢物では一応の体裁が整っているため見落とされがちであるが、花瓶に生け直す切花とは異なり、そのまま観賞される場合が多い事、しかも中・低価格帯の商品では必要最低限の鉢が採用されている事を考えれば、植え替えもせずにオプションとして追加でき、外観を一新できる装飾物の潜在的な需要はあったはずであり、利用のしやすさに配慮し明朗な価格の提示さえ行えたなら開拓できたであろう、器物に栽培される花卉の包装サービスという商品の販路を失い、併せて気軽な贈答品としての商品層の販売機会をとり逃がすこととなっていた。
とりわけ、近年スーパーマーケットに併設されることの多いうスタンド形式の花卉店は開放的な売り場、買い物のついでに寄れる便利さ、購入しやすい価格帯の人気品種に絞込んだ品揃え等、手軽さが受けて好評であるが、省スペースで作業台等が設けにくい事に加えて、特徴の手軽さとラッピングの手間が相容れないと考えたためか、街の生花店と遜色のない品質の商品を取り揃えながらも、贈答用等、洒落た体裁が求められる花卉の販売は見送られがちであった。
これらの事を考え合わせると、普段利用者が料金を確認した上で商品を選択するように、手軽に素早く利用でき、長期に亘って型崩れのしない花卉のラッピングサービス、つまりはそれを可能にする加飾具は無かったと言える。
本考案はこれらの問題を改善した植木鉢加飾具を消費者に安価に提供すべくなされたものである。
【課題を解決するための手段】
【０００４】  上記目的を達成するため本考案は、鉢側面を締め付けて摩擦固定し、鉢全体を被覆して包纏すべく、底面に接合した、帯の役割を兼ねる胴回り部分を柔軟性素材で設け、開放自在になるよう面ファスナー等の固定具を設けた構成を特徴とする植木鉢加飾具。
【考案の効果】
【０００５】  上記のように構成したので迅速確実に一定の水準の加飾包装が誰にでもできるようになった。フラワーラッピング等の特殊な技能を持った店員のいないスーパーマーケット等の花売り場に最適である。布、革、レース、裏打ちした和紙、柔軟性樹脂素材等、種々な花や予算に合せて多様な場面での利用が可能である。ラッピングのように形を作っていくものではなく、完成品を付帯させることから値段も明確に提示出来、利用者が自身で選んで花卉に組合わせれば良いので、今迄利用しにくかった、中・低価格層の商品にも気兼ねなく加飾を注文出来見栄え良く仕立てられるため、手軽な贈答品の選択肢を増やすのに役立とう。旧来の、ラッピング材が店員によって取り出される対面式の商法を廃して、適合する鉢の号数を表示し、包装材料店で販売されているように、両面テープ等で簡単に追加できるように作り置いたリボンやメッセージカード等の装飾物ともども価格を明示し、植木同様利用者が手に取って選べるようにしておくならば、スーパーマーケットの個装売りが購買意欲を発掘し増進させたのと同じ効果が望めよう。
店頭で花に合せて見立て、誕生祝や気軽な御使い品として利用する事は勿論、ラッピングのような技法とは異なる完結性の高い、製品でもある以上、一定の品質を維持して流れ作業にも適し、特に行事に合せての贈答品、例えば母の日、クリスマス、桃の節句等、従来も籠等に生けたアレンジメント品が重宝された分野で活躍しよう。広い側面を有することを考えれば、清涼飲料水等で行われている商業パッケージのような人目を引く華やかな印刷を施すことも可能であり、植え替えもせずに外観を一新できる特徴を活用し、それぞれの催しに適した意匠をあしらい、期間が終わればパッケージを取り去って通常の商品に簡単に戻すことも出来る。
当然、その視覚性の高さに重点を置き、新たな広告媒体としても有効である。
柔軟性素材からなるためソフトな外観でかなりの耐久性を有し、再利用が可能であるが、金属や陶器の鉢カバーほどその重さも含め、器物としての主張が強くないため、新たなインテリアを購入する時程の入念な検討を経ずして気軽な気持ちで利用してもらえよう。
包装材の持つ柔らかな質感と繰り返し使える器物の便利さを併せ持ち、ラッピング材と花器の中間に位置して材料や色彩によって、その重心を移せる、利用者のニーズに合せた幅広い企画が立てられる。
又、環境問題への関心が高まる中、企業もイベントの折に花卉や苗の配布をして自らのこの問題への取り組みをアピールする姿が多く見られる。しかし企業名を前面に出すと自社の宣伝に利用しているとしてその取り組み姿勢を疑われかねず、しかしそれなりの費用をかけて行うイベントである以上配布してその場で終わりというのは残念に思う気持ちもあろう。加えて資源の無駄使いを嫌うこのようなイベントでビニール袋を用いたりすれば、趣旨に反するとの誹りも受けかねない。
鉢との一体感を強めるその密着性と薄さは本考案の特徴の一つであるが、商店の持ち帰り用包装と同じく剥き出しの物品を包み、街中を持ち歩くにも違和感を抱かせず、控えめなインテリア性を有することから廃棄されにくく、企業名やロゴ等を入れても宣伝を第一に考えたもの等と誤解されるのを避けるのに貢献しよう。
【考案を実施するための最良の形態】
【０００６】  以下、本考案の実施例について説明する。
底面（３）に接合する形で底面外周よりも長い、弾性素材（２）を設けた帯の役割を兼ねる胴回り部分を柔軟性素材（１）によって設け、この重なり合う胴回り内帯先端部分（１ａ）と胴回り外帯先端部分（１ｂ）に開放時よりも内径が狭まり包纏し、且つ開放自在となるよう固定具として面ファスナー、パイル側（１ｃ）と面ファスナー、フック側（１ｄ）を設けた構成を特徴とする植木鉢加飾具。
【図面の簡単な説明】
【０００７】
【図１】  本考案を一部折り返した斜視図ある。
【図２】  本考案の斜視図ある。
【図３】  本考案の一部切欠き斜視図ある。
【符号の説明】
【０００８】  １・・・・柔軟性素材
２・・・・弾性素材
３・・・・底面
１ａ・・・内帯先端部分
１ｂ・・・外帯先端部分
１ｃ・・・面ファスナー、パイル側
１ｄ・・・面ファスナー、フック側
【図１】
0003106548.tif 000003
【図２】
0003106548.tif 000004
【図３】
0003106548.tif 000005